(57)【特許請求の範囲】
【請求項１】
内部にシリンダ室を設けてそれに通ずる吸込み口を有するシリンダと、
そのシリンダの吸込み口を開閉する第１の逆止弁と、
内部に噴出通路を設け、前記シリンダ内に外向きに付勢して往復動自在に収納し、その収納する部分に、前記噴出通路を外部と連通する連通路を有するピストンと、
そのピストンの噴出通路を開閉する第２の逆止弁と、
前記ピストンの往復動に応じて前記第２の逆止弁を開く前に前記ピストンの前記連通路を開き、前記第２の逆止弁を閉じてから前記連通路を閉じる弾性弁と、
噴出口を設け、その噴出口に前記噴出通路を連通して前記ピストンに取り付け、使用時に押し下げるスパウトと、
を備えてなる、噴出ポンプ。
【発明の詳細な説明】
【０００１】
【発明の属する技術分野】
この発明は、ボトル内の乳液・シャンプ・リンス・ジェル等の内容物を吸い上げて吐出する、化粧用・薬用・シャンプ用などの噴出器に適用し得る。詳しくは、そのような噴出器において、ボトルの口部に取り付け、スパウトに手を掛けてそれを押し下げたとき、ボトル内の内容物を該スパウトの噴出口から吐出する噴出ポンプに関する。
【０００２】
【従来の技術】
従来、この種の噴出ポンプには、たとえば図６に示すように、内部にシリンダ室１ａを設けてそれに通ずる吸込み口１ｂを有するシリンダ１と、そのシリンダ１内に設けて吸込み口１ｂを開閉する逆止弁２と、内部に噴出通路３ａを設け、シリンダ１内に外向きに付勢して往復動自在に収納し、その収納する部分に、前記噴出通路３ａを外部と連通する連通路３ｂを有するピストン３とを備える。
【０００３】
また、そのピストン３の往復動に応じて該ピストン３の連通路３ｂを開閉する弾性弁４と、噴出口５ａを設け、その噴出口５ａに噴出通路３ａを連通してピストン３を取り付け、使用時に押し下げるスパウト５とを備えていた。
【０００４】
そして、乳液・シャンプ・リンス・ジェル等を入れたボトル６の口部６ａに取り付け、使用時には、スパウト５に手を掛けてそれを押し下げ、付勢力に抗してシリンダ１内にピストン３を押し込んで弾性弁４を開くとともにシリンダ室１ａ内の圧力を上昇し、シリンダ室１ａ内の内容物を連通路３ｂを通して噴出通路３ａに入れ、スパウト５の噴出口５ａから吐出していた。
【０００５】
スパウト５から手を離したときは、付勢力に基づきピストン３をシリンダ１内から押し出し、弾性弁４を閉じるとともにシリンダ室１ａ内を負圧化し、逆止弁２を開いてボトル６内の内容物をシリンダ室１ａ内に吸い上げていた。（たとえば特開平７−３２８４９６号公報参照。）
【０００６】
【発明が解決しようとする課題】
このような従来の噴出ポンプでは、スパウト５から手を離して後、弾性弁４を閉じるまでに多少の時間がかかるから、その間に噴出口５ａ近くの内容物を内部に引き戻して、使用時に放置しても、噴出口５ａから液垂れを生じたり、内容物が乾燥固化して噴出口５ａを塞いだりするおそれをなくすことができる、という利点はある。
【０００７】
しかしながら、スパウト５から手を離して後、弾性弁４を閉じるまでに多少の時間がかかるから、その分シリンダ室１ａ内の負圧化が遅れ、ボトル６内からの内容物の吸い上げ効率が低下する、という問題があった。
【０００８】
そこで、この発明の目的は、使用後に放置しても、噴出口から液垂れを生じたり、内容物が乾燥固化して噴出口を塞いだりするおそれをなくすとともに、ボトル内からの内容物の吸い上げ効率を高めることにある。
【０００９】
【課題を解決するための手段】
そのため、請求項１に記載の発明は、噴出ポンプにおいて、
内部にシリンダ室を設けてそれに通ずる吸込み口を有するシリンダと、
そのシリンダの吸込み口を開閉する第１の逆止弁と、
内部に噴出通路を設け、前記シリンダ内に外向きに付勢して往復動自在に収納し、その収納する部分に、前記噴出通路を外部と連通する連通路を有するピストンと、
そのピストンの噴出通路を開閉する第２の逆止弁と、
前記ピストンの往復動に応じて前記第２の逆止弁を開く前に前記ピストンの前記連通路を開き、前記第２の逆止弁を閉じてから前記連通路を閉じる弾性弁と、
噴出口を設け、その噴出口に前記噴出通路を連通して前記ピストンに取り付け、使用時に押し下げるスパウトと、
を備えてなる、ことを特徴とする。
【００１０】
そして、この請求項１に記載の発明では、乳液・シャンプ・リンス・ジェル等を入れたボトルの口分に取り付け、使用時には、スパウト２０に手を掛けてそれを押し下げ、付勢力に抗してシリンダ１０内にピストン１５を押し込んで弾性弁１７を開くとともにシリンダ室ａ内の圧力を上昇し、シリンダ室ａ内の内容物を連通路ｆを通して噴出通路ｅに入れ、第２の逆止弁１６を開いてスパウト２０の噴出口ｋから吐出する。
【００１１】
スパウト２０から手を離したときは、付勢力に基づきピストン１５をシリンダ１０内から押し出し、第２の逆止弁１６に続いて弾性弁１７を閉じ、シリンダ室ａ内を負圧化して第１の逆止弁１２を開き、ボトル内の内容物をシリンダ室ａ内に吸い上げる。
【００１２】
【発明の実施の形態】
以下、図面を参照しつつ、この発明の実施の形態につき説明する。
図１には、この発明による噴出ポンプの縦断面を示す。図中符号１０は、シリンダである。シリンダ１０には、大径部１０ａと中径部１０ｂと小径部１０ｃとを設ける。
【００１３】
そして、大径部１０ａと中径部１０ｂ内に、シリンダ室ａを形成するとともに、小径部１０ｃに、該シリンダ室ａに通ずる吸込み口ｂを下向きに形成する。シリンダ室ａと吸込み口ｂとの間には、円錐内面形状の第１の弁座ｃを上向きに設けてなる。
【００１４】
そのようなシリンダ１０には、大径部１０ａの上部外周の円周溝に内周縁をはめ付けて環板形状のパッキン１１を鍔状に取り付ける。また、シリンダ室ａ内にボ−ル状の第１の逆止弁１２を入れ、第１の弁座ｃ上に乗せる。さらに、吸込み口ｂには、圧入して細長なパイプ１３の上端を取り付ける。
【００１５】
一方、図中符号１５は、ピストンである。ピストン１５内には、上向きに開口し、途中に第２の弁座ｄを有する噴出通路ｅを形成する。下部には、径方向に貫通してその噴出通路ｅを外部と連通する連通路ｆを形成する。その連通路ｆ位置の外周には、円周凹部ｇを設けてなる。
【００１６】
そして、噴出通路ｅ内にボ−ル状の第２の逆止弁１６を入れ、第２の弁座ｄ上に乗せる。また、円周凹部ｇにリング状のゴム製弾性弁１７を上下にスライド自在にはめ付ける。
【００１７】
そのようなピストン１５は、下端外周を、コイルスプリング１８の上端内に圧入する。また、上端を、ネジキャップ１９の中心孔ｈ内に下方から通す。ネジキャップ１９には、中心孔ｈを中心として大きな環状溝ｉを上向きに設けるとともに、小さな環状溝ｊを下向きに設ける。
【００１８】
そして、ネジキャップ１９の中心孔ｈを貫通したピストン１５の上端を、スパウト２０の中心穴に圧入する。このとき、スパウト２０は、下部を環状溝ｉ内に入り込ませ、それに設ける噴出口ｋを噴出通路ｅに連通してなる。
【００１９】
そのようにして組み立てたものを、コイルスプリング１８の下端から前述したシリンダ１０のシリンダ室ａ内に入れ、シリンダ１０内の段部ｍに当ててそのコイルスプリング１８をたわませる。そして、弾性弁１７とともにピストン１５の下端もシリンダ室ａ内に入れ、シリンダ１０の上端をネジキャップ１９の環状溝ｊ内に入れて掛け止めするとともに、パッキン１１をネジキャップ１９の頂部ｎに当てがう。
【００２０】
このとき、コイルスプリング１８の付勢力でピストン１５を外向きに付勢し、弾性弁１７をネジキャップ１９の中心孔ｈの孔縁に当てて止める。これにより、弾性弁１７で連通路ｆを塞いだ状態で、ピストン１５をシリンダ１０内に往復動自在に収納してなる。
【００２１】
さて、この噴出ポンプは、図示省略するが、公知のとおりネジキャップ１９をねじ付けてボトルの口部に被せ、パネル１１を圧縮して取り付ける。ボトル内には、乳液・シャンプ・リンス・ジェル等を収納してなる。
【００２２】
そして、使用するときは、スパウト２０に手を掛けてそれを押し下げる。すると、ピストン１５が、コイルスプリング１８の付勢力に抗してシリンダ１０内に入り込む。このとき、弾性弁１７は、ピストン１５の円周凹部ｇの上壁が当たるまでは、そのままの位置に留まり、連通路ｆを開く。
【００２３】
そうして、スパウト２０の押し込みとともに、図２に示すように、シリンダ室ａ内の容積を狭めて同シリンダ室ａ内の圧力を上昇する。そして、図２中矢示するとおり、シリンダ室ａ内の内容物を連通路ｆを通して噴出通路ｅに入れ、第２の逆止弁１６を開いてスパウト２０の噴出口ｋから吐出する。
【００２４】
そして、スパウト２０の押し下げとともに、噴出口ｋからの吐出を続け、図３に示すようにスパウト２０の下端をネジキャップ１９の頂部ｎに突き当てたところで、シリンダ室ａ内の圧力を大気圧に近付け、噴出口ｋからの内容物の吐出を終了する。
【００２５】
なお、この状態においては、図３中矢示するとおり、パッキン１１のまわりから小さな環状溝ｊを通り、中心孔ｈから大きな環状溝ｉに抜け、ボトル内は大気と連通する。
【００２６】
次に、この状態でスパウト２０から手を離すと、図４に示すようにコイルスプリング１８の付勢力に基づきピストン１５をシリンダ１０内から押し出す。そうして、図４中矢示するとおり、噴出口ｋの付近に残留する内容物をスパウト２０内に引き込んで後、第２の逆止弁１６で噴出通路ｅを閉じ、続いて弾性弁１７で連通路ｆを閉じる。
【００２７】
そして、図５に示すように、シリンダ室ａ内を負圧化して第１の逆止弁１２を開き、図中矢示するとおりボトル内の内容物をシリンダ室ａ内に吸い上げる。
【００２８】
その後、弾性弁１７の上端がネジキャップ１９の中心孔ｈの孔縁に突き当たり、弾性弁１７をスライドして連通路ｆを閉じ、第１の逆止弁１２を再び第１の弁座ｃ上に乗せた図１に示す状態に戻る。
【００２９】
つまり、この発明によれば、スパウト２０から手を離したとき、噴出口ｋの付近に残留する内容物をスパウト２０内に引き込んで後、第２の逆止弁１６で噴出通路ｅを閉じるから、そのまま放置しても、噴出口ｋから液垂れを生じたり、内容物が乾燥固化して噴出口ｋを塞いだりするおそれをなくすことができる。
【００３０】
また、弾性弁１７で連通路ｆを閉じる前に第２の逆止弁１６で噴出通路ｅを閉じるから、シリンダ室ａ内の負圧化を早めてボトル内からの内容物の吸い上げ効率を高めることができる。
【００３１】
【発明の効果】
以上説明したとおり、この発明によれば、スパウトから手を離したときは、噴出口の付近に残留する内容物をスパウト内に引き込んで後、第２の逆止弁で噴出通路を閉じるから、そのまま放置しても、噴出口から液垂れを生じたり、内容物が乾燥固化して噴出口を塞いだりするおそれをなくすことができる。
【００３２】
また、弾性弁で連通路を閉じる前に第２の逆止弁で噴出通路を閉じるから、シリンダ室内の負圧化を早めてボトル内からの内容物の吸い上げ効率を高めることができる。
【図面の簡単な説明】
【図１】この発明による噴出ポンプの縦断面図である。
【図２】使用時に、そのスパウトを押し下げた状態における縦断面図である。
【図３】続いてスパウトを最後まで押し下げた状態における縦断面図である。
【図４】その状態から、スパウトより手を離した直後における縦断面図である。
【図５】その後スパウトが少し復帰した状態における縦断面図である。
【図６】従来の噴出ポンプの縦断面図である。
【符号の説明】
１０  シリンダ
１２  第１の逆止弁
１５  ピストン
１６  第２の逆止弁
１７  弾性弁
２０  スパウト
ａ  シリンダ室
ｂ  吸込み口
ｅ  噴出通路
ｆ  連通路
ｋ  噴出口
【図１】
0004105279.tif 000002
【図２】
0004105279.tif 000003
【図３】
0004105279.tif 000004
【図４】
0004105279.tif 000005
【図５】
0004105279.tif 000006
【図６】
0004105279.tif 000007